(57)【要約】【課題】本発明は、サーバ装置に関するものであり、消費電力の抑制を図ることを目的とする。【解決手段】この目的を達成するために本発明は、管理室２と、この管理室２内に配置された複数のサーバ室３〜５と、前記管理室２内に設置された冷却装置６，７とを備え、前記サーバ室３〜５内に、複数のサーバを配置するとともに、このサーバ室３〜５には、熱交換器８〜１０を設け、この熱交換器８〜１０は前記サーバ室３〜５内空気を循環させる第一風路８ａ、９ａ、１０ａと、この第一風路８ａ、９ａ、１０ａとは非通気状態となった第二の風路８ｂ、９ｂ、１０ｂとを有し、これらの第一、第二の風路８ａ、９ａ、１０ａ、８ｂ、９ｂ、１０ｂを熱交換状態に結合するとともに、前記第二の風路８ｂ、９ｂ、１０ｂには、前記管理室２外の空気を、前記冷却装置６，７を通過後に流入させ、この第二の風路８ｂ、９ｂ、１０ｂ通過後の空気は、前記管理室２外へと放出する。【選択図】図１
2009230622.tif 000002
【特許請求の範囲】
【請求項１】
管理室と、この管理室内に配置された複数のサーバ室と、前記管理室内に設置された冷却装置とを備え、前記サーバ室内に、複数のサーバを配置するとともに、このサーバ室には、熱交換器を設け、この熱交換器は前記サーバ室空気の循環をする第一風路と、この第一風路とは非通気状態となった第二の風路とを有し、これらの第一、第二の風路を熱交換状態に結合するとともに、前記第二の風路には、前記管理室外の空気を、前記冷却装置を通過後に流入させ、この第二の風路通過後の空気は、前記管理室外へと放出するサーバ装置。
【請求項２】
前記第二の風路には、室外空気を、前記冷却装置を通過後に流入させ、この第二の風路通過後の空気は、前記室外へと放出する請求項１に記載のサーバ装置。
【請求項３】
室外空気の取込経路と、室外への放出経路を複数設けた請求項２に記載のサーバ装置。
【発明の詳細な説明】
【技術分野】
【０００１】
本発明は、サーバ装置に関するものである。
【背景技術】
【０００２】
サーバ装置の一般的な構成は、管理室内に、サーバと冷却装置を設けたものとなっている。
【０００３】
すなわち、サーバはその演算スピードが向上すればするほど、また小型化が進めばすすむほど、高温化するので、その動作保証を図るため、上述のごとく管理室内に、冷却装置も設けている（なお、これに類似する先行文献としては、たとえば下記特許文献１がある）。
【特許文献１】特開昭６３−２９８５１３号公報
【発明の開示】
【発明が解決しようとする課題】
【０００４】
近年ますますＩＴ化が進展し、これにともない前記管理室内には、複数のサーバが配置されることとなっている。
【０００５】
しかしこのように管理室内には、複数のサーバが配置されると、それにともない前記冷却装置の能力を大きくしなければならず、この結果として電力消費が極めて高くなるという課題があった。
【０００６】
そこで本発明は、電力消費の抑制を図ることを目的とするものである。
【課題を解決するための手段】
【０００７】
そしてこの目的を達成するために本発明は、管理室と、この管理室内に配置された複数のサーバ室と、前記管理室内に設置された冷却装置とを備え、前記サーバ室内に、複数のサーバを配置するとともに、このサーバ室には、熱交換器を設け、この熱交換器は前記サーバ室内空気を循環させる第一風路と、この第一風路とは非通気状態となった第二の風路とを有し、これらの第一、第二の風路を熱交換状態に結合するとともに、前記第二の風路には、前記管理室外の空気を、前記冷却装置を通過後に流入させ、この第二の風路通過後の空気は、前記管理室外へと放出する構成とし、これにより所期の目的を達成するものである。
【発明の効果】
【０００８】
以上のごとく本発明は、管理室と、この管理室内に配置された複数のサーバ室と、前記管理室内に設置された冷却装置とを備え、前記サーバ室内に、複数のサーバを配置するとともに、このサーバ室には、熱交換器を設け、この熱交換器は前記サーバ室内空気を循環させる第一風路と、この第一風路とは非通気状態となった第二の風路とを有し、これらの第一、第二の風路を熱交換状態に結合するとともに、前記第二の風路には、前記管理室外の空気を、前記冷却装置を通過後に流入させ、この第二の風路通過後の空気は、前記管理室外へと放出する構成としたものであるので、電力消費を抑制することができる。
【０００９】
すなわち、管理室外の空気を、冷却装置を通過後に各サーバ室の熱交換器の第二風路に流入させて、この熱交換器の第一の風路を循環するサーバ室内空気と熱交換させ、その後、前記管理室外へと放出する構成としたものであり、サーバよりも遥かに温度の低い管理室外空気を冷却用として活用するので、冷却装置の負荷が大幅に軽減され、その結果として電力消費を抑制することができる。
【発明を実施するための最良の形態】
【００１０】
以下本発明の一実施形態を、添付図面を用いて説明する。
【００１１】
図１に示すごとく本実施形態のサーバ装置は、屋根１の下方に設けた管理室２と、この管理室２内に配置された複数のサーバ室３、４，５と、前記管理室２内に設置された冷却装置６，７とを備えている。
【００１２】
前記各サーバ室３，４，５は側面の一面が開口した箱状となっており、その内部には、図示していないが、棚上に複数のサーバ（図示せず）が配置されている。
【００１３】
また、各サーバ室３，４，５側面の開口部には、熱交換器８，９，１０を設けることで、この開口部を覆い、各サーバ室３，４，５内と、管理室２内とは非通気状態となっている。
【００１４】
また各熱交換器８，９，１０は、それが設置された前記サーバ室３，４，５内の空気を循環させる第一風路８ａ、９ａ、１０ａと、この第一風路８ａ、９ａ、１０ａとは非通気状態となった第二の風路８ｂ、９ｂ、１０ｂとを有する構成となっている。
【００１５】
また、隣接する第一風路８ａ、９ａ、１０ａと、第二の風路８ｂ、９ｂ、１０ｂは壁面を接することにより熱交換状態に結合されている。
【００１６】
また、前記第二の風路８ｂ、９ｂには、前記管理室２外の空気（この実施形態では外気）を、前記冷却装置６を通過後に流入させ、この第二の風路８ｂ、９ｂ通過後の空気は、前記管理室２外へと放出する構成としている。
【００１７】
具体的には、ファン１１により吸引した管理室２外の空気（この実施形態では外気）は、ダクト１２を介して冷却装置６内に送られ、この冷却装置６で冷却される。
【００１８】
冷却装置６で冷却された空気は、床下のダクト１３に送られ、次にファン８ｃ、９ｃの吸引力の助けも得て上述のごとく第二の風路８ｂ、９ｂへと送られる。
【００１９】
このとき、第一風路８ａ、９ａ内にはファン８ｄ、９ｄにより、サーバ室３，４内の上方の高温空気が下方へと送られている。
【００２０】
したがって、隣接する第一風路８ａ、９ａと、第二の風路８ｂ、９ｂ間で熱交換が行なわれ、そしてこの熱交換によって冷却された第一風路８ａ、９ａ内空気がサーバ室３，４内に供給されることで、サーバ室３，４内のサーバが冷却されることになっている。
【００２１】
また、この熱交換で温度上昇した第二の風路８ｂ、９ｂ空気は、ダクト１３を介して管理室２外（この実施形態では室外）へと、ファン１４の吸引力の助けも得て放出されるようになっている。
【００２２】
またファン１５により吸引した管理室２外の空気（この実施形態では外気）は、ダクト１６を介して冷却装置７内に送付され、この冷却装置７で冷却される。
【００２３】
冷却装置７で冷却された空気は、床下の風路１７に送られ、次にファン１０ｃの吸引力の助けも得て上述のごとく第二の風路１０ｂへと送られる。
【００２４】
このとき、第一風路１０ａ内には１０ｄにより、サーバ室５内の上方の高温空気が下方へと送られている。
【００２５】
したがって、隣接する第一風路１０ａと、第二の風路１０ｂ間で熱交換が行なわれ、そしてこの熱交換によって冷却された第一風路１０ａ内空気がサーバ室５内に供給されることで、サーバ室５内のサーバが冷却されることになっている。
【００２６】
また、この熱交換で温度上昇した第二の風路１０ｂ空気は、ダクト１８を介して管理室２外（この実施形態では室外）へと、ファン１９の吸引力の助けも得て放出されるようになっている。
【００２７】
なお、本実施形態において、冷却装置６、７を２台も設けた理由は、管理室２が大きく、しかもこの管理室２内に多くのサーバ室３，４、５が設けられ、温度負荷が大きくなったためである。
【００２８】
また、冷却装置６、７を管理室２の左右に離して配置した理由は、ダクト１２、１３、１６、１８を出来るだけ短くし、それによりファン１１、１４、１５、１９の負荷を小さくし、このファン１１、１４、１５、１９の消費電力を抑制するためである。
【００２９】
なお、例えば日本の冬のように室外の気温が低いときには、冷却装置６、７をほとんど稼動させなくても十分上記サーバを冷却できる場合もあり、このときには電力消費を大幅に抑制できる。
【００３０】
また本実施形態では、サーバをサーバ室３，４、５内に設けたので、室外空気を利用して冷却するものであっても、室外からの埃等がサーバに到達することはなく、動作の信頼性を確保できるものとなる。
【００３１】
さらに、サーバをサーバ室３，４、５内に設けることで、管理室２内の温度上昇や騒音を抑制し、室内環境の向上を図ることも出来る。
【産業上の利用可能性】
【００３２】
以上のごとく本発明は、管理室と、この管理室内に配置された複数のサーバ室と、前記管理室内に設置された冷却装置とを備え、前記サーバ室内に、複数のサーバを配置するとともに、このサーバ室には、熱交換器を設け、この熱交換器は前記サーバ室内空気を循環させる第一風路と、この第一風路とは非通気状態となった第二の風路とを有し、これらの第一、第二の風路を熱交換状態に結合するとともに、前記第二の風路には、前記管理室外の空気を、前記冷却装置を通過後に流入させ、この第二の風路通過後の空気は、前記管理室外へと放出する構成としたものであるので、電力消費を抑制することができる。
【００３３】
すなわち、管理室外の空気を、冷却装置を通過後に各サーバ室の熱交換器の第二風路に流入させて、この熱交換器の第一の風路を循環するサーバ室内空気と熱交換させ、その後、前記管理室外へと放出する構成としたものであり、サーバよりも遥かに温度の低い管理室が空気を冷却用として活用するので、冷却装置の付加が大幅に軽減され、その結果として電力消費を抑制することができる。
【００３４】
したがって、環境対応品としても、期待されるものとなる。
【図面の簡単な説明】
【００３５】
【図１】本発明の一実施形態の断面図
【符号の説明】
【００３６】
１      屋根
２      管理室
３      サーバ室
４      サーバ室
５      サーバ室
６      冷却装置
７      冷却装置
８      熱交換器
８ａ    第一風路
８ｂ    第二の風路
９      熱交換器
９ａ    第一風路
９ｂ    第二の風路
１０    熱交換器
１０ａ  第一風路
１０ｂ  第二の風路
１１    ファン
１２    ダクト
１３    ダクト
１４    ファン
１５    ファン
１６    ダクト
１７    風路
１８    ダクト
１９    ファン
【図１】
2009230622.tif 000003